(57)【特許請求の範囲】
【請求項１】
記録媒体を出し入れするための挿入口を開閉する開閉装置であって、
前記挿入口を覆う覆い位置と前記挿入口を露出させる露出位置とに亘って変位自在となる蓋体と、
前記蓋体の変位に応じて、前記挿入口全体を塞ぐ塞ぎ位置と前記挿入口を開放する開放位置とに亘って移動自在となるシャッタ部材と、を備え、
前記蓋体は、前記挿入口を挟んで前記シャッタ部材の反対側に位置し、
前記蓋体が前記覆い位置に位置すると前記シャッタ部材を前記塞ぎ位置に位置付け、かつ前記蓋体が前記露出位置に位置すると前記シャッタ部材を前記開放位置に位置付けるリンク機構を備えたことを特徴とする開閉装置。
【請求項２】
前記リンク機構は、
前記蓋体に取り付けられた第１噛合部材と、
前記第１歯合部材と噛み合いかつ前記蓋体が前記覆い位置と前記露出位置とに亘って変位する際に回転するリンク噛合部材と、
前記シャッタ部材に取り付けられかつ前記リンク噛合部材と噛み合うとともに前記リンク噛合部材が回転すると前記シャッタ部材を前記塞ぎ位置と前記開放位置とに亘って変位させる第２噛合部材と、
を備えたことを特徴とする請求項１記載の開閉装置。
【請求項３】
請求項１又は請求項２に記載の開閉装置と、
記録媒体を出し入れするための挿入口と、
前記挿入口を介して挿入された記録媒体を搬送する搬送手段と、
前記搬送手段により搬送された記録媒体を再生する再生手段と、
を備えたことを特徴とする記録媒体再生装置。
【発明の詳細な説明】
【技術分野】
【０００１】
本発明は、ＣＤプレーヤやＣＤチェンジャなどの記録媒体を出し入れする挿入口を開閉する開閉装置及び該開閉装置を備えた記録媒体再生装置に関する。
【背景技術】
【０００２】
自動車には、例えば、記録媒体再生装置としてのCompact Disc（以下ＣＤと呼ぶ）プレーヤなどの種々のカーオーディオが搭載される。前述したＣＤプレーヤは、記録媒体としてのＣＤを収容して、前記自動車の乗員からの命令にしたがって、該ＣＤに記録された情報を再生する。そして、再生された情報はカーオーディオのスピーカなどから音声として出力される。
【０００３】
前述した記録媒体再生装置としてのＣＤプレーヤの表ケースには、ＣＤを出し入れ自在とする挿入口が設けられている。さらに、前述したＣＤプレーヤは、記録媒体としてのＣＤをクランプして、該ＣＤからの情報を再生する再生ユニットを備えている。従来のＣＤプレーヤの挿入口の近傍には、該挿入口を塞ぐように不織布が貼り付けられている。該不織布には、勿論、前述したＣＤを通すことが可能な切り込みが設けられている。
【０００４】
従来のＣＤプレーヤは、前述した不織布により、挿入口を通して埃や塵などが浸入することを防止している。さらに、従来のＣＤプレーヤは、一度に複数のＣＤが挿入されることを防止するために、前述した再生ユニットにシャッタを設けている。
【発明の開示】
【発明が解決しようとする課題】
【０００５】
前述した従来のＣＤプレーヤなどの記録媒体再生装置は、より高機能であることが求められて、構成される電子部品がより高密度化している。電子部品の高密度化に伴い、記録媒体再生装置は、発熱量が増大して、冷却のためにファンなどの送風装置を内蔵することがある。このように、送風装置を内蔵すると、前述したように挿入口を塞ぐように不織布を貼り付けても、不織布と挿入口との間から挿入口を通して埃や塵などを吸い込んでしまう。
［０００６］
また、前述した再生装置に取り付けられたシャッタでは、該シャッタが表ケースと間隔をあけているため、この間隔などから埃や塵などを吸い込んでしまう。このように、従来の記録媒体再生装置の挿入口を開閉する開閉装置では、挿入口を通して埃や塵などが侵入することを防止できなかった。
［０００７］
本発明の目的は、例えば、挿入口を通して埃や塵などが侵入することを防止できる開閉装置及び該開閉装置を備えた記録媒体再生装置を提供することにある。
課題を解決するための手段
［０００８］
前記課題を解決し目的を達成するために、請求項１に記載の本発明の開閉装置は、記録媒体を出し入れするための挿入口を開閉する開閉装置であって、前記挿入口を覆う覆い位置と前記挿入口を露出させる露出位置とに亘って変位自在となる蓋体と、前記蓋体の変位に応じて、前記挿入口全体を塞ぐ塞ぎ位置と、前記挿入口を開放する開放位置とに亘って移動自在となるシャッタ部材と、を備え、前記蓋体は、前記挿入口を挟んで前記シャッタ部材の反対側に位置し、前記蓋体が前記覆い位置に位置すると前記シャッタ部材を前記塞ぎ位置に位置付け、かつ前記蓋体が前記露出位置に位置すると前記シャッタ部材を前記解放位置に位置付けるリンク機構を備えたことを特徴としている。
【図面の簡単な説明】
［０００９］
［図１］本発明の第１の実施例にかかる開閉装置を備えたＣＤプレーヤの斜視図である。
［図２］図１こ示されたＣＤプレーヤの前面パネルの正面図である。
［図３］図２に示された前面パネルの背面図である。
［図４］図２中のＩＶ−ＩＶ線に沿う断面図である。
［図５］図２中のＶ−Ｖ線に沿う断面図である。
［図６］図２中のＶＩ−ＶＩ線に沿う断面図である。
［図７］図５中のＶＩＩ−ＶＩＩ線に沿う断面図である。
［図８］図２に示された前面パネルに取り付けられた開閉蓋が露出位置に位置付けられた状態を示す正面図である。
［図９］図８中のＩＸ−ＩＸ線に沿う断面図である。
［図１０］図８中のＸ−Ｘ線に沿う断面図である。
［図１１］図８中のＸＩ−ＸＩ線に沿う断面図である。
【図１２】図１０中のＸＩＩ−ＸＩＩ線に沿う断面図である。
【図１３】本発明の第２の実施例にかかる開閉装置の要部を示す断面図である。
【図１４】図１３に示された開閉装置の開閉蓋が露出位置に位置付けられた状態を示す断面図である。
【符号の説明】
【００１０】
１  ＣＤプレーヤ（記録媒体再生装置）
２  ＣＤ（記録媒体）
３  開閉装置
５  前面パネル（表ケース）
７  再生ユニット（再生手段）
９  挿入口
１０  開閉シャッタ（シャッタ部材）
１１  開閉蓋（蓋体）
１２  リンク機構
２０  第１のラック（第１噛合部材）
２１  リンク歯車（リンク噛合部材）
２２  第２のラック（第２噛合部材）
２４  歯車（第１噛合部材）
２５  リンク歯車（リンク噛合部材）
２６  ラック（第２噛合部材）
【発明を実施するための最良の形態】
【００１１】
以下、本発明の一実施形態にかかる開閉装置を説明する。本発明の一実施形態にかかる開閉装置は、挿入口を覆う覆い位置と挿入口を露出させる露出位置とに亘って変位自在な蓋体の変位に応じて、移動自在なシャッタ部材を設け、該シャッタ部材が塞ぎ位置で挿入口全体を塞ぐことで、挿入口を通して埃や塵などが侵入することを防止できるようにしている。
【００１２】
また、開閉装置は、蓋体と連動してシャッタ部材で挿入口を開閉させるリンク機構を備えても良い。
【００１３】
さらに、リンク機構が、蓋体に取り付けられた第１噛合部材と、シャッタ部材に取り付けられた第２噛合部材と、第１噛合部材と第２噛合部材との双方に噛み合うリンク噛合部材と、を備えても良い。
【実施例１】
【００１４】
以下、本発明の第１の実施例にかかる開閉装置及び記録媒体再生装置を、図１ないし図１２を参照して説明する。
【００１５】
図１などに示す記録媒体再生装置としてのＣＤプレーヤ１は、例えば、移動体としての自動車のインストルメントパネルに取り付けて、該自動車に装備される。ＣＤプレーヤ１は、記録媒体としてのCompact Disc（以下ＣＤと呼ぶ）２（図１０及び図１１に示す）を収容して、前記自動車の乗員の命令にしたがって、該ＣＤ２に記憶された情報を再生する。再生された情報は、スピーカから音声として出力される。
【００１６】
ＣＤプレーヤ１は、図１に示すように、機器本体４と、該機器本体４に取り付けられる表ケースとしての前面パネル５と、本発明の第１の実施例にかかる開閉装置３と、を備えている。なお、ＣＤ２の表面と平行でかつ該ＣＤ２の機器本体４への出し入れする方向を奥行き方向Ｙとし、前記ＣＤ２の表面と平行でかつ奥行き方向Ｙと直交する方向を幅方向Ｘとし、前記ＣＤ２の表面と奥行き方向Ｙと幅方向Ｘの全てを直交する方向を厚み方向Ｚとする。
【００１７】
機器本体４は、筐体６と、該筐体６内に収容される再生手段としての再生ユニット７（図５などに示す）と、筐体６内に収容される図示しない搬送手段としての搬送ユニットとを備えている。筐体６は、合成樹脂で構成され、かつ機器本体４即ちＣＤプレーヤ１の外殻をなしている。筐体６は、扁平な箱状に形成されている。筐体６の図１中手前側には、該筐体６の内外を連通する開口部が設けられている。
【００１８】
再生ユニット７は、機器本体４内即ちＣＤプレーヤ１内に挿入されＣＤ２をクランプして、該ＣＤ２の情報を読み出す（即ちＣＤ２に記憶された情報を再生する）。則ち、再生ユニット７は、搬送ユニットにより搬送されたＣＤ２を再生する。搬送ユニットは、機器本体４即ち筐体６にＣＤ２を出し入れする。則ち、搬送ユニットは、前記挿入口９を介して挿入されたＣＤ２を搬送する。
【００１９】
前面パネル５は、合成樹脂で構成され、かつ前記筐体６即ち機器本体４の図１中手前側に位置する開口部を塞ぐように該筐体６の前部に取付られる。なお、前面パネル５は、機器本体４の筐体６に取り付けられると、ＣＤプレーヤ１の外殻を形成する。
【００２０】
前面パネル５は、図２及び図３に示すように、平面形状が略矩形状に形成されている。前面パネル５には、中央凹部８が設けられている。中央凹部８は、前面パネル５の中央に設けられている。中央凹部８は、前面パネル５の外縁部の外表面より凹に形成されている。中央凹部８は、前面パネル５が筐体６に取り付けられると、該筐体６即ち機器本体４の前面に露出する。
【００２１】
前記中央凹部８には、図８に示すように、挿入口９が開口している。挿入口９は、前面パネル５を貫通しているとともに、長手方向が機器本体４の幅方向Ｘに沿った扁平に形成されている。即ち、挿入口９の長手方向は、ＣＤプレーヤ１の幅方向Ｘに沿っている。
【００２２】
挿入口９は、ＣＤプレーヤ１の厚み方向Ｚに沿った幅がＣＤ２の厚みより大きくかつＣＤプレーヤ１の幅方向Ｘに沿った幅がＣＤ２の直径より大きく形成されている。挿入口９は、内側にＣＤ２を通すことが可能である。挿入口９は、内側にＣＤ２を通すことで、ＣＤプレーヤ１の機器本体４にＣＤ２を出し入れする。
【００２３】
開閉装置３は、図４ないし図６、図９ないし図１１に示すように、前面パネル５より機器本体４の奥側に配置されたシャッタ部材としての開閉シャッタ１０と、前面パネル５より機器本体４の外側即ち前面側に配置された蓋体としての開閉蓋１１と、リンク機構１２（図３に示す）とを備えている。
【００２４】
開閉シャッタ１０は、合成樹脂で構成され、かつ平板状に形成されている。開閉シャッタ１０は、平面形状が矩形状に形成されている。開閉シャッタ１０は、その長手方向が機器本体４の幅方向Ｘと平行に配置され、後述する位置決め機構１５により前面パネル５に機器本体４即ちＣＤプレーヤ１の厚み方向Ｚに沿って、スライド自在に支持されている。
【００２５】
開閉シャッタ１０は、厚み方向Ｚに沿ってスライドすることで、前述した挿入口９全体を塞ぐ塞ぎ位置（図４ないし図６に示す）と、前述した挿入口９全体を開放する開放位置（図９ないし図１１に示す）とに亘って移動自在である。開閉シャッタ１０は、塞ぎ位置に位置付けられると、前面パネル５の機器本体４の奥側の表面に重ねられるとともに、挿入口９の内縁の全周が接触する。なお、図示例では、開閉シャッタ１０は、塞ぎ位置から開放位置に向かって変位する際に、機器本体４即ちＣＤプレーヤ１の厚み方向Ｚに沿って、下方に向かってスライドする。
【００２６】
開閉蓋１１は、挿入口９を挟んで開閉シャッタ１０の反対側に位置している。開閉蓋１１は、図７及び図１２に示すように、合成樹脂で構成されかつＣＤプレーヤ１の前面に露出する蓋本体１３と、該蓋本体１３の機器本体４の奥側に配置されたスライドシャーシ１４とを備えている。蓋本体１３は、扁平な板状（棒状）に形成されている。蓋本体１３即ち開閉蓋１１は、前面パネル５即ち開閉シャッタ１０よりＣＤプレーヤ１の外側（前面側）に位置している。
【００２７】
蓋本体１３即ち開閉蓋１１は、前面パネル５に機器本体４即ちＣＤプレーヤ１の厚み方向Ｚに沿ってスライド自在に設けられている。即ち、蓋本体１３及び開閉蓋１１は、開閉シャッタ１０のスライド方向と同方向にスライド自在に前記前面パネル５に取り付けられている（設けられている）。
【００２８】
蓋本体１３及び開閉蓋１１は、前述した厚み方向Ｚに沿ってスライドすることで、図４ないし図６に示す前述した中央凹部８内に収容されて前記挿入口９全体を覆う覆い位置と、図９ないし図１１に示す挿入口９全体を機器本体４即ちＣＤプレーヤ１の外側に露出させる露出位置とに亘って変位する。則ち、開閉蓋１１は、覆い位置と露出位置とに亘って変位自在に設けられている（前面パネル５に取り付けられている）。なお、図示例では、蓋本体１３及び開閉蓋１１は、覆い位置から露出位置に向かって変位する際に、機器本体４即ちＣＤプレーヤ１の厚み方向Ｚに沿って下方でかつ前方にスライドする。
【００２９】
スライドシャーシ１４は、薄手の板金で構成されているとともに、平板状に形成されている。スライドシャーシ１４は、蓋本体１３の機器本体４の奥側に位置する表面に重ねられて、該蓋本体１３に取り付けられている。また、スライドシャーシ１４は、機器本体４の厚み方向Ｚ即ち開閉シャッタ１０と開閉蓋１１との双方のスライド方向と同方向にスライド自在に蓋本体１３に取り付けられている。
【００３０】
さらに、スライドシャーシ１４には、位置決め機構１５が取り付けられている。位置決め機構１５は、図７及び図１２に示すように、一対のスライド孔１６と、一対の取り付けボルト１７と、一対のリンク部材１８と、付勢手段としてのばね１９とを備えている。
【００３１】
スライド孔１６は、スライドシャーシ１４を貫通している。スライド孔１６は、スライドシャーシ１４の長手方向の両端部に設けられている。即ち、一対のスライド孔１６は、機器本体４即ちＣＤプレーヤ１の幅方向Ｘに沿って、互いに間隔をあけて配されている。スライド孔１６は、機器本体４即ちＣＤプレーヤ１の厚み方向Ｚ即ち蓋本体１３及び開閉蓋１１のスライド方向に沿って、直線状に延在している。
【００３２】
一対の取り付けボルト１７は、機器本体４の幅方向Ｘに沿って、互いに間隔をあけて配されている。取り付けボルト１７は、図５及び図１０に示すように、頭部が前面パネル５より機器本体４の奥側に位置し、ねじ（軸）部が前面パネル５を貫通して開閉蓋１１の蓋本体１３側（即ち前面側）に突出した状態に配されている。取り付けボルト１７のねじ部は、中央凹部８内に位置している。一対の取り付けボルト１７のねじ部は、機器本体４即ちＣＤプレーヤ１の幅方向Ｘに沿って互いの間に挿入口９を位置付ける位置に配置されている。
【００３３】
取り付けボルト１７のねじ部は、スライド孔１６内に侵入している。取り付けボルト１７のねじ部には図示しないナットが螺合している。該ナットと頭部との間にリンク部材１８の一端部とスライドシャーシ１４とを位置付けている。取り付けボルト１７は、ねじ部がスライド孔１６内に侵入することで、リンク部材１８とスライドシャーシ１４と蓋本体１３即ち開閉蓋１１を前述した厚み方向Ｚに沿ってスライド自在に前面パネル５に取り付ける。
【００３４】
一対のリンク部材１８は、薄手の板金で構成され、棒状に形成されている。リンク部材１８は、一端部に前述した取り付けボルト１７のねじ部を通す通し孔を設けている。リンク部材１８は、一端部を中心として回転自在にスライドシャーシ１４即ち蓋本体１３及び開閉蓋１１に取り付けられている。一対のリンク部材１８は、他端部が互いに回転自在に連結しているとともに、双方の長手方向に沿って移動自在に他端部同士が互いに連結している。
【００３５】
ばね１９は、一対のリンク部材１８の他端部間に掛け渡されており、他端部同士を互いに近づける方向に一対のリンク部材１８を付勢している。
【００３６】
前述した構成の位置決め機構１５は、取り付けボルト１７のねじ部がスライド孔１６内を移動しかつリンク部材１８が一端部を中心としてスライドシャーシ１４に対し回転するとともにリンク部材１８の他端部同士が回転及びスライド移動することで、スライドシャーシ１４即ち開閉蓋１１を前面パネル５に対しスライドさせる。そして、位置決め機構１５は、該開閉蓋１１を前述した覆い位置と露出位置とに亘って変位自在とする。
【００３７】
そして、位置決め機構１５は、ばね１９が、リンク部材１８の他端部同士を近づける方向に付勢することで、開閉蓋１１が覆い位置に位置すると該開閉蓋１１を覆い位置に位置決めし、開閉蓋１１が露出位置に位置すると該開閉蓋１１を露出位置に位置決めする。また、開閉蓋１１が、覆い位置と露出位置とに亘って変位する際には、スライドシャーシ１４が勿論開閉蓋１１に対して厚み方向Ｚに沿ってスライドする。
【００３８】
なお、図示例では、開閉蓋１１が覆い位置に位置付けられると、図７に示すように、取り付けボルト１７のねじ部がスライド孔１６の下端部内に位置し、スライドシャーシ１４が蓋本体１３に対する移動範囲の下死点に位置する。また、開閉蓋１１が露出位置に位置付けられると、図１２に示すように、取り付けボルト１７のねじ部がスライド孔１６の上端部内に位置し、スライドシャーシ１４が蓋本体１３に対する移動範囲の上死点に位置する。
【００３９】
リンク機構１２は、図３、図４及び図９に示すように、第１噛合部材としての第１のラック２０と、リンク噛合部材としてのリンク歯車２１と、第２噛合部材としての第２のラック２２と備えている。
【００４０】
第１のラック２０は、スライドシャーシ１４即ち開閉蓋１１の長手方向の一端部に設けられている。即ち、第１のラック２０は、機器本体４即ちＣＤプレーヤ１の幅方向Ｘの一端部に設けられている。第１のラック２０は、スライドシャーシ１４の一端部に一体に設けられることで、開閉蓋１１に取り付けられている。第１のラック２０の長手方向は、前述した厚み方向Ｚ即ち開閉蓋１１の蓋本体１３のスライド方向と平行である。
【００４１】
リンク歯車２１は、前面パネル５の機器本体４の奥側に位置する表面に回転自在に取り付けられている。リンク歯車２１は、前面パネル５の長手方向の一端部に設けられている。即ち、リンク歯車２１は、機器本体４即ちＣＤプレーヤ１の幅方向Ｘの一端部に設けられている。リンク歯車２１は、前述した第１のラック２０と噛み合う。
【００４２】
第２のラック２２は、開閉シャッタ１０の長手方向の一端部に設けられている。即ち、第２のラック２２は、機器本体４即ちＣＤプレーヤ１の幅方向Ｘの一端部に設けられている。第２のラック２２は、開閉シャッタ１０の一端部に一体に設けられることで、該開閉シャッタ１０に取り付けられている。第２のラック２２の長手方向は、前述した厚み方向Ｚ即ち開閉蓋１１の蓋本体１３のスライド方向と平行である。第２のラック２２は、前述したリンク歯車２１と噛み合う。
【００４３】
前述したリンク機構１２は、開閉蓋１１の蓋本体１３が前述した覆い位置に位置付けられると、第１のラック２０と第２のラック２２それぞれの下端部がリンク歯車２１と噛み合う。そして、開閉シャッタ１０が前述した塞ぎ位置に位置付けられる。
【００４４】
その後、蓋本体１３が覆い位置から露出位置に向かって変位すると、第１のラック２０が蓋本体１３とともに変位して、リンク歯車２１が回転する。すると、第２のラック２２が第１のラック２０と同方向に変位して、開閉シャッタ１０が蓋本体１３即ち開閉蓋１１と同方向に変位する。そして、蓋本体１３即ち開閉蓋１１が露出位置に位置付けられると、開閉シャッタ１０が開放位置に位置付けられる。
【００４５】
このように、リンク機構１２は、開閉蓋１１が覆い位置に位置すると、開閉シャッタ１０を塞ぎ位置に位置付ける。また、リンク機構１２は、開閉蓋１１が露出位置に位置すると、開閉シャッタ１０を開放位置に位置付ける。こうして、開閉シャッタ１０は、開閉蓋１１の変位に応じて、塞ぎ位置と、開放位置とに亘って移動自在となる。
【００４６】
さらに、前述した開閉装置３は、開閉蓋１１、開閉シャッタ１０及びリンク機構１２が前面パネルに取り付けられている。即ち、開閉装置３は、前面パネル５に取り付けられている（設けられている）。
【００４７】
前述したＣＤプレーヤ１は、機器本体４にＣＤ２を出し入れする際には、開閉蓋１１の蓋本体１３を露出位置に位置付ける。すると、リンク機構１２により開閉シャッタ１０が開放位置に位置付けられて、挿入口９が機器本体４の内外を連通する。そして、挿入口９を通してＣＤ２を機器本体４に出し入れする。
【００４８】
また、ＣＤプレーヤ１は、機器本体４内のＣＤ２を再生する際には、開閉蓋１１の蓋本体１３を覆い位置に位置付ける。すると、リンク機構１２により開閉シャッタ１０が塞ぎ位置に位置付けられて、挿入口９が塞がれる。そして、挿入口９が、開閉シャッタ１０と開閉蓋１１の蓋本体１３との双方で塞がれる。挿入口９を通して、機器本体４即ちＣＤプレーヤ１内に埃や塵などが侵入することが防止される。
【００４９】
本実施例によれば、開閉蓋１１の蓋本体１３に開閉シャッタ１０をスライド自在に設け、該開閉シャッタ１０が塞ぎ位置で挿入口９全体を塞ぐ。このため、開閉シャッタ１０を塞ぎ位置に位置付けることで、挿入口９を通してＣＤプレーヤ１内に埃や塵などが侵入することを防止できる。
【００５０】
また、開閉蓋１１の蓋本体１３が覆い位置に位置すると開閉シャッタ１０が塞ぎ位置に位置し、開閉蓋１１の蓋本体１３が露出位置に位置すると開閉シャッタ１０が開放位置に位置するように、開閉シャッタ１０を開閉蓋１１の蓋本体１３と連動して開閉させる。開閉蓋１１の蓋本体１３が挿入口９を露出させる露出位置に位置すると、開閉シャッタ１０が開放位置に位置付けられて挿入口９を開放する。このため、開閉蓋１１の蓋本体１３を露出位置に位置付けるだけで、挿入口９が開放されて、挿入口９を通してＣＤ２を確実にＣＤプレーヤ１に出し入れできる。
【００５１】
また、開閉蓋１１の蓋本体１３が挿入口９を覆う覆い位置に位置すると、開閉シャッタ１０が塞ぎ位置に位置付けられて挿入口９全体を塞ぐ。このため、挿入口９が開閉シャッタ１０と開閉蓋１１の蓋本体１３との二つの部材で塞がれることとなり、挿入口９を通してＣＤプレーヤ１内に埃や塵などが侵入することを確実に防止できる。
【００５２】
リンク機構１２が、開閉蓋１１の蓋本体１３に取り付けられた第１のラック２０と、開閉シャッタ１０に取り付けられた第２のラック２２と、第１のラック２０と第２のラック２２との双方に噛み合うリンク歯車２１と、を備えている。このため、リンク機構１２は、開閉蓋１１の蓋本体１３と開閉シャッタ１０とを確実に連動して変位させることができる。
【００５３】
さらに、ＣＤプレーヤ１は、前述した開閉装置３を備えているので、挿入口９を通して埃や塵などが侵入することを確実に防止できる。
【実施例２】
【００５４】
以下、本発明の第２の実施例にかかる開閉装置及び記録媒体再生装置を、図１３および図１４を参照して説明する。なお、前述した第１の実施例と同一構成部分には同一符号を付して説明を省略する。
【００５５】
本実施例では、図１３及び図１４に示すように、開閉蓋１１の蓋本体１３には、スライドシャーシ１４が取り付けられていないとともに、開閉蓋１１の蓋本体１３の下端部には、回動ピン２３が設けられている。回動ピン２３の軸芯は、機器本体４即ちＣＤプレーヤ１の幅方向Ｘと平行である。開閉蓋１１の蓋本体１３は、機器本体４即ちＣＤプレーヤ１の幅方向Ｘと平行な回動ピン２３を中心として回転することで、図１３中に実線で示す覆い位置と、図１４に示す露出位置とに亘って変位する。
【００５６】
また、本実施例では、リンク機構１２は、図１３及び図１４に示すように、第１噛合部材としての歯車２４と、リンク噛合部材としてのリンク歯車２５と、第２噛合部材としてのラック２６とを備えている。
【００５７】
歯車２４は、開閉蓋１１の蓋本体１３の長手方向の一端部に設けられている。即ち、歯車２４は、機器本体４即ちＣＤプレーヤ１の幅方向Ｘの一端部に設けられている。第１の歯車は、開閉蓋１１の蓋本体１３の一端部に一体に設けられることで、該開閉蓋１１に取り付けられている。歯車２４は、前述した開閉蓋１１の蓋本体１３の回転中心である回動ピン２３と同軸である。
【００５８】
リンク歯車２５は、前面パネル５に回転自在に取り付けられている。リンク歯車２５は、前面パネル５の長手方向の一端部に設けられている。即ち、リンク歯車２５は、機器本体４即ちＣＤプレーヤ１の幅方向Ｘの一端部に設けられている。リンク歯車２５の回転中心は、歯車２４即ち開閉蓋１１の回転中心と平行である。リンク歯車２５は、前述した歯車２４と噛み合う。
【００５９】
ラック２６は、開閉シャッタ１０の長手方向の一端部に設けられている。即ち、ラック２６は、機器本体４即ちＣＤプレーヤ１の幅方向Ｘの一端部に設けられている。ラック２６は、開閉シャッタ１０一端部に一体に設けられることで、該開閉シャッタ１０に取り付けられている。ラック２６の長手方向は、前述した厚み方向Ｚと平行である。ラック２６は、前述したリンク歯車２５と噛み合う。
【００６０】
前述したリンク機構１２は、開閉蓋１１の蓋本体１３が前述した覆い位置に位置付けられると、歯車２４とリンク歯車２５とが互いに噛み合い、ラック２６の下端部がリンク歯車２５と噛み合う。そして、開閉シャッタ１０が前述した塞ぎ位置に位置付けられる。
【００６１】
その後、蓋本体１３が覆い位置から露出位置に向かって変位すると、歯車２４が蓋本体１３とともに回転して、リンク歯車２５が回転する。すると、ラック２６が厚み方向Ｚに変位して、開閉シャッタ１０がラック２６とともに変位する。そして、蓋本体１３即ち開閉蓋１１が露出位置に位置付けられると、開閉シャッタ１０が開放位置に位置付けられる。
【００６２】
このように、リンク機構１２は、開閉蓋１１が覆い位置に位置すると、開閉シャッタ１０を塞ぎ位置に位置付ける。また、リンク機構１２は、開閉蓋１１が露出位置に位置すると、開閉シャッタ１０を開放位置に位置付ける。
【００６３】
本実施例によれば、前述した第１の実施例と同様に、開閉蓋１１の蓋本体１３に開閉シャッタ１０をスライド自在に設け、該開閉シャッタ１０が塞ぎ位置で挿入口９全体を塞ぐ。このため、開閉シャッタ１０を塞ぎ位置に位置付けることで、挿入口９を通してＣＤプレーヤ１内に埃や塵などが侵入することを防止できる。
【００６４】
前述した実施例では、記録媒体再生装置として、記録媒体としてのＣＤ２を再生するＣＤプレーヤ１を示している。しかしながら、本発明は、例えば、記録媒体としてのＭＤ（Mini Disc）やＤＶＤ（Digital Versatile Disc）などの他の記録媒体を収容する記録媒体再生装置に適用しても良く、これらの記録媒体を複数収容する記録媒体再生装置に適用しても良い。
【００６５】
また、前述した第１の実施例では開閉蓋１１をスライドさせ、第２の実施例では開閉蓋１１を回転させている。しかしながら、本発明では、開閉蓋１１を種々移動（変位）させて、該開閉蓋１１を塞ぎ位置と開放位置とに亘って変位させても良い。
【００６６】
さらに、リンク機構１２を用いて、開閉蓋１１を開閉シャッタ１０とを連動させている。しかしながら、本発明では、開閉蓋１１を開閉シャッタ１０とを連動させなくても良い。さらに、本発明では、開閉シャッタ１０を備えていれば、開閉蓋１１を備えていなくても良い。
【００６７】
また、本発明では、付勢手段としてのばね１９をトーションバー（板ばね）で構成しても良い。
【００６８】
前述した実施例によれば、以下の開閉装置３及びＣＤプレーヤ１が得られる。
【００６９】
（付記１）  ＣＤ２を出し入れするための挿入口９を開閉する開閉装置３であって、
前記挿入口９を覆う覆い位置と前記挿入口９を露出させる露出位置とに亘って変位自在となる開閉蓋１１と、
前記開閉蓋１１の変位に応じて、前記挿入口９全体を塞ぐ塞ぎ位置と、前記挿入口９を開放する開放位置とに亘って移動自在となる開閉シャッタ１０を備えたことを特徴とする開閉装置３。
【００７０】
（付記２）  前記開閉蓋１１は、前記挿入口９を挟んで前記開閉シャッタ１０の反対側に位置し、
前記開閉蓋１１が前記覆い位置に位置すると前記開閉シャッタ１０を前記塞ぎ位置に位置付け、かつ前記開閉蓋１１が前記露出位置に位置すると前記開閉シャッタ１０を前記開放位置に位置付けるリンク機構１２と、
を備えたことを特徴とする付記１記載の開閉装置３。
【００７１】
（付記３）  前記リンク機構１２は、
前記開閉蓋１１に取り付けられた第１噛合部材２０，２４と、
前記第１噛合部材２０，２４と噛み合いかつ前記開閉蓋１１が前記覆い位置と前記露出位置とに亘って変位する際に回転するリンク噛合部材２１，２５と、
前記開閉シャッタ１０に取り付けられかつ前記リンク噛合部材２１，２５と噛み合うとともに前記リンク噛合部材２１，２５が回転すると前記開閉シャッタ１０を前記塞ぎ位置と前記開放位置とに亘って変位させる第２噛合部材２２，２６と、を備えたことを特徴とする付記２記載の開閉装置３。
【００７２】
（付記４）  付記１ないし付記３のうちいずれか一項に記載の開閉装置３と、
ＣＤ２を出し入れするための挿入口９と、
前記挿入口９を介して挿入されたＣＤ２を搬送する搬送ユニットと、
前記搬送ユニットにより搬送されたＣＤ２を再生する再生ユニット７と、
を備えたことを特徴とするＣＤプレーヤ１。
【００７３】
付記１によれば、開閉蓋１１の蓋本体１３に開閉シャッタ１０をスライド自在に設け、該開閉シャッタ１０が塞ぎ位置で挿入口９全体を塞ぐ。このため、開閉シャッタ１０を塞ぎ位置に位置付けることで、挿入口９を通してＣＤプレーヤ１内に埃や塵などが侵入することを防止できる。
【００７４】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004598063.tif 000002
【図２】
0004598063.tif 000003
【図３】
0004598063.tif 000004
【図４】
0004598063.tif 000005
【図５】
0004598063.tif 000006
【図６】
0004598063.tif 000007
【図７】
0004598063.tif 000008
【図８】
0004598063.tif 000009
【図９】
0004598063.tif 000010
【図１０】
0004598063.tif 000011
【図１１】
0004598063.tif 000012
【図１２】
0004598063.tif 000013
【図１３】
0004598063.tif 000014
【図１４】
0004598063.tif 000015